(57)【要約】【課題】耕起土がスムーズに流れ易く、尚且つ畝のエッジ部分が綺麗に仕上がる培土器を提供すること。【解決手段】耕起土を下方に押圧して畝底面Ｃ１を形成する下辺部Ｂと、耕起土を左右に排出しながら押圧して畝側面Ｃ２を形成する横辺部２２ａとを備え、横辺部２２ａの端部の上下中央部Ｄが、横辺部２２ａの左右中央側の部分よりも後方側に位置するように、且つ、横辺部２２ａの端部の上下中央部Ｄが、横辺部２２ａの端部の上端及び下端よりも後方側に位置するように構成される。【選択図】図７
2010200712.tif 000002
【特許請求の範囲】
【請求項１】
耕起土を下方に押圧して畝底面を形成する下辺部と、耕起土を左右に排出しながら押圧して畝側面を形成する横辺部とを備え、
前記横辺部の端部の上下中央部が、前記横辺部の左右中央側の部分よりも後方側に位置するように、且つ、前記横辺部の端部の上下中央部が、前記横辺部の端部の上端及び下端よりも後方側に位置するように構成される培土器。
【請求項２】
前記横辺部が、可撓性を有する平板で構成される請求項１に記載の培土器。
【請求項３】
前記下辺部を有する下横部材と、前記下辺部よりも幅広の上辺部を有する上横部材とが、縦部材を介して連結されており、前記横辺部が前記上横部材と前記下横部材に亘るように取り付け可能であって、前記上横部材又は前記下横部材に対する前記横辺部の取り付け位置を変更できる請求項２に記載の培土器。
【発明の詳細な説明】
【技術分野】
【０００１】
本発明は、ロータリ耕耘装置を備える管理機に装着されて、ロータリ耕耘装置によって耕耘された耕起土中を移動して畝の底面と側面とを成形する培土器に関する。
【背景技術】
【０００２】
従来の畝立て用の培土器としては、例えば、図９及び図１０に示すように、支持枠２１にボルト２４で固定された逆台形状の成形板３１の下端辺３１ａ及び側端辺３１ｂのそれぞれによって、外盛り状態の畝Ｃの底面Ｃ１及び側面Ｃ２を形成する培土器３０が知られている。
【発明の概要】
【発明が解決しようとする課題】
【０００３】
図９及び図１０に示すように、従来の培土器３０を用いて畝立て作業を実施した場合、成形板３１の下端辺３１ａ及び側端辺３１ｂのそれぞれによって、畝Ｃの底面Ｃ１及び側面Ｃ２がしっかり押し固められるので、畝Ｃのエッジ部分Ｃ３，Ｃ４（畝の横側面の下端部と底面の端部により構成される部分Ｃ３、及び、畝の上面の端部と横側面の上端部により構成される部分Ｃ４）は比較的綺麗に仕上がる。
【０００４】
しかし、図１０の矢印に示すように、従来の培土器３０においては、耕起土が培土器３０の進行方向（図１０の紙面上方）に対して直交する横外方に流れるので、成形板３１が高い土圧を受けることによって管理機が前方に進み難くなる場合があり、作業性の面で改善の余地があった。
【０００５】
本発明の目的は、畝立て作業時に耕起土がスムーズに流れ易く、尚且つ畝のエッジ部分が綺麗に仕上がる培土器を提供することにある。
【課題を解決するための手段】
【０００６】
〔第１発明の構成〕
上記の目的を達成するため、本発明のうちの請求項１に記載の発明では、
耕起土を下方に押圧して畝底面を形成する下辺部と、耕起土を左右に排出しながら押圧して畝側面を形成する横辺部とを備え、
前記横辺部の端部の上下中央部が、前記横辺部の左右中央側の部分よりも後方側に位置するように、且つ、前記横辺部の端部の上下中央部が、前記横辺部の端部の上端及び下端よりも後方側に位置するように構成されることを特徴とする。
【０００７】
〔作用及び効果〕
本発明の培土器を例えば、図１に示すように歩行型管理機に取り付けた場合、図５、図７、図８に示すように、左右の横辺部２２ａのそれぞれが、機体後方側に膨らんだ状態となる。
そのため、畝立て作業時の耕起土は、左右の横辺部２２ａ（特に横辺部２２ａの端部の上下中央部Ｄ付近）から斜め後方に排出されることとなり、耕起土がスムーズに機体後方側に流れ易く、土圧の抵抗が小さいので、管理機が前方に進み易い。
その上、従来の培土器と同様に、下辺部、及び横辺部２２ａのそれぞれによって、畝Ｃの底面Ｃ１及び側面Ｃ２がしっかり押し固められるので、畝Ｃのエッジ部分Ｃ３，Ｃ４（畝の横側面の下端部と底面の端部により構成される部分Ｃ３、及び、畝の上面の端部と横側面の上端部により構成される部分Ｃ４）は綺麗に仕上げられる。
【０００８】
〔第２発明の構成〕
本発明のうちの請求項２に記載の発明では、
前記横辺部が、可撓性を有する平板で構成されることを特徴とする。
【０００９】
〔作用及び効果〕
本発明によれば、横辺部が耕起土の状態に応じて弾性変形可能であるため、耕起土がよりスムーズに流れ易い。
【００１０】
〔第３発明の構成〕
本発明のうちの請求項３に記載の発明では、
前記下辺部を有する下横部材と、前記下辺部よりも幅広の上辺部を有する上横部材とが、縦部材を介して連結されており、前記横辺部が前記上横部材と前記下横部材に亘るように取り付け可能であって、前記上横部材又は前記下横部材に対する前記横辺部の取り付け位置を変更できることを特徴とする。
【００１１】
〔作用及び効果〕
本発明によれば、上横部材又は下横部材に対する横辺部の取り付け位置を変更することにより、例えば、図６及び図８に示すように、左右の横辺部２２ａの膨らみを小さくしたり（図６及び図８の横辺部２２ａ’参照）、あるいは大きくしたりすることができる（図６及び図８の横辺部２２ａ”参照）。これにより、耕起土の硬軟に応じて左右の横辺部２２ａの膨らみの大きさを調整して畝の形状を所望の形状に変更することができる。
【図面の簡単な説明】
【００１２】
【図１】歩行型管理機の側面図
【図２】歩行型管理機の平面図
【図３】培土器を構成する支持枠（ａ）及び成形板（ｂ）の平面図
【図４】培土器の背面図
【図５】培土器の斜視図
【図６】培土器の側面図
【図７】畝立て作業時の培土器を示す背面図
【図８】畝立て作業時の培土器を示す横断面図
【図９】畝立て作業時の従来の培土器を示す背面図
【図１０】畝立て作業時の従来の培土器を示す横断面図
【発明を実施するための形態】
【００１３】
図１に歩行型管理機の全体側面が、図２に歩行型管理機の全体平面がそれぞれ示されている。この歩行型管理機の走行機体１は、エンジン２を上端に直結した伝動ケース３から後方に操縦ハンドル４を延出するとともに、伝動ケース３の下部左右に回転軸５を横架支承し、伝動ケース３の上部左右にフェンダ６を張り出し配備して構成されている。
【００１４】
エンジン２は縦軸型の空冷式ガソリンエンジンが使用されており、エンジン２の上部に備えたリコイルスタータ７を用いて手動でエンジン始動を行うよう構成されている。リコイルスタータ７から後方にリコイルロープ８が導出されるとともに、リコイルロープ８の後端に備えた引き手８ａが、操縦ハンドル４に備えられたロープフック９に挿通支持されている。
【００１５】
操縦ハンドル４は、丸パイプ材からなるハンドル基部４ａと、その後端に横向きの支点ｐ周りに回動可能に枢支連結された左右二股状の操作ハンドル部４ｂとから構成されており、支点ｐに備えたノブ付きボルト１０を緩めて操作ハンドル部４ｂを上下に回動し、任意の回動位置でノブ付きボルト１０を締め込むことで、操作ハンドル部４ｂの高さを調節することができる。
【００１６】
ロープフック９は丸棒材をループ状に屈曲して操作ハンドル部４ｂの横ステー部４ｃに固着されており、このロープフック９の遊端部が横向きに延出されて取っ手９ａが形成されている。
【００１７】
伝動ケース３の後部には板金構造の後部ヒッチ１２が備えられており、この後部ヒッチ１２に挿通したハンドル基部４ａの前端部が伝動ケース３の下部後方箇所に連結されることで、ハンドル基部４ａが所定の後上がり傾斜姿勢で強固に固定支持されている。
【００１８】
後部ヒッチ１２の後端には縦向きのボス部１２ａが備えられており、このボス部１２ａに、丸棒材をくの字形に屈曲した抵抗棒１３が挿通されて貫通ピン１４で位置固定されている。抵抗棒１３には上下複数のピン挿通孔１５が形成されており、このピン挿通孔１５を選択して貫通ピン１４を挿通することで、抵抗棒１３の高さを複数段階に調節することが可能となっている。
【００１９】
図１は、前進走行によって走行機体１の通過跡左右に畝を形成してゆく外盛り式の畝立てを行う仕様とした歩行型管理機が示されており、伝動ケース３の下部に支承された左右の回転軸５には耕起ロータ１６がそれぞれ装着されている。耕起ロータ１６をダウンカット方向（図１の矢印参照）に高速で回転駆動して耕起しながら耕起ロータ１６の回転によって前進し、走行機体１の後部において圃場に突入された抵抗棒１３による前進抵抗を加減することで、所望の速度で前進しながら耕起を行うようになっている。
【００２０】
耕起ロータ１６は、回転軸５に連結される爪軸１７に耕起爪１８を植設して構成されており、この例では、複数種の耕起爪１８を所定の配列に配置して、所定の横幅に亘って耕起した土を左右に跳ね上げる外盛り仕様に構成されたものが用いられる。
【００２１】
後部ヒッチ１２の後寄り箇所には、抵抗棒１３の直前方に近接するように培土器２０が横向きの支点ｑ周りに自由回動可能に連結支持されている。図４に示すように、培土器２０は、金属製の支持枠２１に対して、可撓性を有する成形板２２をボルト締め連結して構成されたものであり、その詳細は以下の通りである。
【００２２】
図３（ａ）に示すように、支持枠２１は、下辺部Ｂを有する金属製の下横部材２１ｂと、下辺部Ｂよりも幅広の上辺部Ａを有する金属製の上横部材２１ａと、これらの左右中心部を連結する金属製の縦部材２１ｃとを備えて構成されている。支持枠２１の上横部材２１ａの左右中央付近には２つの上側ボルト挿通孔２１ｆが設けられており、上横部材２１ａの左右両端側のそれぞれには上側ボルト挿通孔２１ｈが設けられており、下横部材２１ｂには２つの下側ボルト挿通孔２１ｇが設けられている。
【００２３】
図３（ｂ）に示すように、成形板２２は、下窄まりの八角形状を有するものであり、適度の硬度と弾性とを備えた厚さ数ｍｍ程度のゴム板等により構成される。成形板２２の上部の左右中央付近には２つの上側ボルト挿通孔２２ｂが設けられており、上部左右両端側のそれぞれには、３つの上側ボルト挿通孔２２ｄ，２２ｄ’，２２ｄ”が上下方向に並設されており、下部には２つの下側ボルト挿通孔２２ｃが設けられている。尚、この状態においては、成形板２２は、ゴム板等をカットしたままの平板であるが、以下に記載するように、成形板２２を支持枠２１へ取り付けることによって、膨出した形状（横辺部２２ａ）が形成される。
【００２４】
図４に示すように、成形板２２を支持枠２１に取り付けるには、成形板２２を支持枠２１の耕起ロータ１６側に配置して、支持枠２１の上側ボルト挿通孔２１ｆと成形板２２の上側ボルト挿通孔２２ｂとの位置合わせと、支持枠２１の上側ボルト挿通孔２１ｈと成形板２２の上側ボルト挿通孔２２ｄ、２２ｄ’、２２ｄ”の中から選択したいずれか一つのボルト挿通孔（本実施形態において上側ボルト挿通孔２２ｄ）との位置合わせと、支持枠２１の下側ボルト挿通孔２１ｇと成形板２２の下側ボルト挿通孔２２ｃとの位置合わせを行い、ボルト２４を走行機体１の後方側からこれらのボルト挿通孔に挿入して、成形板２２の裏面に配置したナット２５（図６参照）に螺入して締結固定する。尚、本明細書中、成形板２２の表面を走行機体１の後方に面する側とし、裏面を耕起ロータ１６に面する側とする。
【００２５】
この状態において、図４に示すように、左右の横辺部２２ａが上横部材２１ａと下横部材２１ｂに亘るように取り付けられる。図８に示すように、横辺部２２ａの端部の上下中央部Ｄが、横辺部２２ａの左右中央側の部分（縦部材２１Ｃ）よりも後方側（走行機体１の後方側）に位置するように、且つ、図６に示すように、横辺部２２ａの端部の上下中央部Ｄが、横辺部２２ａの端部の上端（上横部材２１ａ）及び下端（下横部材２１ｂ）よりも走行機体１の後方側に位置するように構成されている。言い換えれば、成形板２２の左右の横辺部２２ａのそれぞれは、走行機体１の後方側に膨らんだ状態となる。
【００２６】
図６に示すように、培土器２０は、支持枠２１の縦部材２１ｃの上端から上方に向けて二股状に折り曲げ延出された連結部２１ｄにおいて後部ヒッチ１２に回動自在にピン連結されている。
【００２７】
縦部材２１ｃの上端に連設した屈曲部２１ｅが左右の連結部２１ｄに亘って溶接連結されており、図６中の仮想線に示すように、屈曲部２１ｅが後部ヒッチ１２の下面に接当することで、培土器２０の前方への揺動限界が規制され、培土器２０が耕起ロータ１６に接触することが回避されている。
【００２８】
次に、畝立て作業について説明する。
走行機体１は、耕起ロータ１６をダウンカット方向（図１の矢印参照）に高速で回転駆動することによって圃場を耕起しながら前進する。このとき、圃場に突入した抵抗棒１３による前進抵抗を加減することで、走行機体１の前進速度を調節することができる。
【００２９】
図６に示すように、培土器２０は耕起土からの負荷によって支点ｑ周りに後方に揺動され、支持枠２１の下部が抵抗棒１３に受け止められることで、培土器２０が少し前倒れ傾斜した所定の畝成形作用姿勢に維持される。
【００３０】
図７及び図８に示すように、耕起土を培土器２０で押圧移動させると、下横部材２１ｂの下辺部Ｂによって耕起土が下方に押圧されて畝底面Ｃ１が形成されると共に、成形板２２の左右の横辺部２２ａによって耕起土が押圧されて左右の畝側面Ｃ２が形成される。
【００３１】
以上より、本実施形態の培土器２０によれば、図８の矢印に示すように畝立て作業時の耕起土は、左右の横辺部２２ａから斜め後方に排出されることとなり、耕起土がスムーズに機体後方側に流れ易く、土圧の抵抗が小さいので、管理機が前方に進み易い。
【００３２】
その上、従来の培土器と同様に、下横部材２１ｂの下辺部Ｂ及び成形板２２の横辺部２２ａのそれぞれによって、畝Ｃの底面Ｃ１及び側面Ｃ２がしっかり押し固められるので、畝Ｃのエッジ部分Ｃ３，Ｃ４（畝の横側面の下端部と底面の端部により構成される部分Ｃ３、及び、畝の上面の端部と横側面の上端部により構成される部分Ｃ４）は綺麗に仕上げられる。
【００３３】
さらに、本実施形態においては、成形板２２が可撓性を有しており、横辺部２２ａが耕起土の状態に応じて弾性変形可能であるため、耕起土がよりスムーズに流れ易い。
【００３４】
尚、本実施形態においては、成形板２２の上部左右両端側のそれぞれには、３つの上側ボルト挿通孔２２ｄ，２２ｄ’，２２ｄ”が上下方向に並設されており、これらのボルト挿通孔の中からいずれか一つを選択することによって、上横部材２１ａに対する成形板２２の上部左右両端側のそれぞれの取り付け位置を変更できるように構成されている。
【００３５】
このため、図３（ｂ）の上側ボルト挿通孔２２ｄ’を選択して左右の横辺部２２ａの膨らみを小さくしたり（図６及び図８の横辺部２２ａ’参照）、或いは上側ボルト挿通孔２２ｄ”を選択して左右の横辺部２２ａの膨らみを大きくしたりすることができる（図６及び図８の横辺部２２ａ”参照）。これにより、耕起土の硬軟に応じて左右の横辺部２２ａの膨らみの大きさを調整して、畝の形状を所望の形状に変更することができる。
【００３６】
また、図９及び図１０に示す従来の培土器３０では、成形板３１の側端辺３１ｂが自由に揺動できる状態となっており、成形板３１の側端辺３１ｂがバタ付くことにより畝側面Ｃ２が波打ち、畝形状の精度が低下する虞がある。
一方、本発明の培土器２０における成形板２２の横辺部２２ａは自由に揺動できる状態ではなく、横辺部２２ａはバタ付くことが少ないので、畝側面Ｃ２が波打つ虞がなく畝形状の精度も良い。
【００３７】
〔別実施形態〕
〔１〕前述の実施形態において、上側ボルト挿通孔２２ｄ，２２ｄ’，２２ｄ”と同様に、下側ボルト挿通孔２２ｃを複数設けて、下横部材２１ｂに対する成形板２２の下部の取り付け位置を変更することにより横辺部２２ａの形状を変更可能に構成しても良い。
〔２〕前述の実施形態の成形板２２は、膨出した形状（横辺部２２ａ）が予め成形されているものであっても良い。
〔３〕前述の実施形態の成形板２２において、支持枠２１に取り付ける際に膨出する横辺部２２ａが形成され易いように、例えば、直線状又は曲線状の凹溝等のような折り目を成形板２２の裏面に形成しておいても良い。
【産業上の利用可能性】
【００３８】
以上説明したように、本発明の培土器は、ロータリ耕耘装置を備える管理機において有用であり、耕起土をスムーズに流れ易くして作業性を向上させ、尚且つ畝のエッジ部分を綺麗に仕上げる場合に適している。
【符号の説明】
【００３９】
２１    支持枠
２１ａ  上横部材
２１ｂ  下横部材
２１ｃ  縦部材
２２    成形板
２２ａ  横辺部
Ａ      上辺部
Ｂ      下辺部
Ｃ１    畝底面
Ｃ２    畝側面
Ｄ      上下中央部
【図１】
2010200712.tif 000003
【図２】
2010200712.tif 000004
【図３】
2010200712.tif 000005
【図４】
2010200712.tif 000006
【図５】
2010200712.tif 000007
【図６】
2010200712.tif 000008
【図７】
2010200712.tif 000009
【図８】
2010200712.tif 000010
【図９】
2010200712.tif 000011
【図１０】
2010200712.tif 000012